(57)【要約】【課題】映像の圧縮を行った際に生じるオンスクリーン映像のちらつきや文字潰れの発生をより容易な構成で防止する。【解決手段】表示装置１は、入力される映像信号Ｓ１と同期して各部のタイミング制御信号を出力するタイミングコントローラ２０と、制御信号Ｓ５に基づいて入力される映像信号の一部を間引き、当該間引き後の映像信号に基づいた映像を表示する表示部１０と、制御信号Ｓ５に基づいて、表示部１０における映像信号の間引きタイミングに同期する間引きタイミング信号Ｓ５１を出力する間引きタイミング信号生成回路５１と、この間引きタイミング信号Ｓ５１に基づいて表示部１０における映像信号の間引きに同期した間引き対応信号を含むＯＳＤ映像信号Ｓ６を生成するＯＳＤ映像信号生成部３０と、映像信号Ｓ１とＯＳＤ映像信号Ｓ６とを重畳した映像信号Ｓ２を表示部１０に出力する映像信号処理部４０と、を備える。【選択図】図１
2008164934.tif 000002
【特許請求の範囲】
【請求項１】
入力される映像信号と同期して各部のタイミング制御信号を出力するタイミングコントローラと、
前記タイミングコントローラからのタイミング制御信号に基づいて、前記入力される映像信号の一部を間引き、当該間引き後の映像信号に基づいた映像を表示する表示部と、
前記タイミングコントローラからのタイミング制御信号に基づいて、前記表示部における映像信号の間引きタイミングに同期する間引同期信号を生成する信号生成部と、
前記生成された間引同期信号に基づいて、前記表示部における映像信号の間引きに同期した間引き対応信号を含むオンスクリーン映像信号を生成するオンスクリーン映像信号生成部と、
前記入力される映像信号に前記生成されたオンスクリーン映像信号を重畳する映像信号処理部と、
を備えることを特徴とする表示装置。
【請求項２】
前記表示部は、前記入力される映像信号に基づく映像の全走査線のうちの何れかの走査線部分の信号を前記タイミングコントローラからのタイミング制御信号に基づいて間引き、当該間引き後の映像信号に基づいた映像を表示し、
前記信号生成部は、前記タイミングコントローラからのタイミング制御信号に基づいて、前記表示部で間引く何れかの走査線に同期する間引同期信号を生成し、
前記オンスクリーン映像信号生成部は、前記生成される間引同期信号に基づいて、前記表示部で間引く何れかの走査線に対応する信号を含むオンスクリーン映像信号を生成することを特徴とする請求項１に記載の表示装置。
【請求項３】
前記タイミングコントローラは、前記入力される映像信号の各走査線に同期する水平同期信号を出力し、
前記信号生成部で生成された間引同期信号に基づいて、前記水平同期信号における前記表示部で間引く何れかの走査線部分を、他の走査線部分と区別した信号に変換する水平同期信号変換部を更に備え、
前記オンスクリーン映像信号生成部は、前記変換後の水平同期信号に基づいて、前記表示部で間引く何れかの走査線に対応する信号を含めたオンスクリーン映像信号を生成することを特徴とする請求項２に記載の表示装置。
【発明の詳細な説明】
【技術分野】
【０００１】
本発明は、表示装置に関する。
【背景技術】
【０００２】
ＬＣＤ（Liquid  Crystal  Display）等の表示装置で映像を表示するための映像信号については、主にＮＴＳＣ（National Television System Committee）方式とＰＡＬ（Phase Alternating Line）方式の二つの方式が知られている。ＮＴＳＣ方式の映像信号は、５２５本の走査線数の映像信号であり、１秒あたり約３０のインタレース（飛び越し走査）フレームで構成されている。
【０００３】
このインタレースフレームは、偶数ラインを走査する偶数フィールドと奇数ラインを走査する奇数フィールドからなる。なお、各フィールドの走査線数は２６２本であり、実際に表示される走査線は２３４本であって、実際に表示されない部分の走査線は同期信号、垂直帰線などに使用されている。
【０００４】
一方、ＰＡＬ方式の映像信号は、６２５本の走査線数の映像信号であり、ＮＴＳＣ方式と同様に１秒あたり約２５のインタレースフレームで構成されている。なお、ＰＡＬ方式におけるインタレースフレームを構成する各フィールドの走査線数は３１２本であり、実際の表示対象となる走査線は２７０本である。
【０００５】
表示装置は、上述した映像信号に対して、ＱＶＧＡ（Quarter Video Graphics Array）等の表示装置固有の画素構成に応じて映像信号の圧縮（間引き）処理等を行い、表示装置における各画素対応の映像信号に変換する構成を有しており、入力される映像信号が異なる場合でも適切な映像を表示することができる。
【０００６】
例えば、表示装置の画素構成がＱＶＧＡのＬＣＤの場合を図４（ａ）に例示する。この場合のＬＣＤにおける垂直方向の画素数は２３４である。よって、図４（ａ）に示すように、入力される映像信号がＮＴＳＣ方式の場合は、その映像信号における各フィールド（表示走査線数２３４本）がそのままＬＣＤに表示される。
【０００７】
一方、入力される映像信号がＰＡＬ方式の場合を図４（ｂ）に例示する。この図４（ｂ）に示すように、ＰＡＬ方式の場合の映像信号では、各フィールド（表示走査線数２７０本）の走査線数が２３４本に圧縮（間引き処理）された後にＬＣＤに表示される。
【０００８】
また、表示装置には、チャンネル番号、音量などの情報表示又は色合い、コントラストなどの表示調整を行うメニュー画面表示を映像に重ねて表示する、いわゆるオンスクリーン表示を行うものがある。
【０００９】
この表示装置では、オンスクリーン表示のためのＯＳＤ（On  Screen  Display）映像信号を前述した映像信号に重畳する構成を有しており、ＮＴＳＣ方式やＰＡＬ方式等の表示装置に入力される映像信号方式に応じたＯＳＤ映像信号の重畳が行われている。
【００１０】
例えば、特許文献１には、ＮＴＳＣ方式やＰＡＬ方式等の異なる方式の映像信号の入力に応じて垂直方向の画素数が変更されたＯＳＤ映像信号を生成し、適切なオンスクリーン画像の表示を行う技術が開示されている。
【特許文献１】特開２００５−７３１６７号公報
【発明の開示】
【発明が解決しようとする課題】
【００１１】
しかしながら、上述した従来技術により入力される映像信号にＯＳＤ映像信号を重畳し、ＬＣＤの表示領域に応じて圧縮などの画像処理を行った場合、表示されたオンスクリーン画像部分にちらつきや文字潰れが発生する虞があった。このオンスクリーン画像でのちらつきや文字潰れの発生については、図５〜図７を参照して具体的に説明する。
【００１２】
ここでの具体例は、図５に示すように、画素構成がＱＶＧＡのＬＣＤである表示装置であって、入力されるＰＡＬ方式の映像信号に応じて生成されるＰＡＬ方式のＯＳＤ映像信号を、その入力される映像信号に重畳し、その重畳された映像信号を圧縮の後にＬＣＤで表示する場合を例示している。なお、図６は、従来技術における表示装置１００の機能的構成を模式的に示すブロック図である。図７は、表示装置１００におけるオンスクリーン映像の間引きと当該間引き後のオンスクリーン映像の表示とを例示する概念図である。
【００１３】
図６に示すように、表示装置１００は、表示部１１０、タイミングコントローラ１２０、ＯＳＤ映像信号生成部１３０、映像信号処理部１４０を有し、入力される映像信号Ｓ１０１に基づいた映像をＬＣＤ１１１に表示する構成である。表示部１１０は、画素構成がＱＶＧＡであるＬＣＤ１１１と、入力される映像信号Ｓ１０２の走査線を間引くなどの圧縮処理を行ってＬＣＤ１１１の各画素対応の映像信号に変換する圧縮処理部１１２を有する。
【００１４】
タイミングコントローラ１２０は、表示装置１００に入力される映像信号Ｓ１０１と同期する同期信号に基づいて、基準周波数と出力信号との周波数を一致させて同期をとるためのＰＬＬ１２１（Phase Locked Loop）などを有し、表示装置１００における各部の処理タイミングを指示する信号を映像信号Ｓ１０１と同期して出力する。
【００１５】
具体的には、映像信号Ｓ１０１と同期した垂直同期信号Ｓ１０３、水平同期信号Ｓ１０４をＯＳＤ映像信号生成部１３０に出力する。また、タイミングコントローラ１２０は、特に図示しないＲＯＭ（Read  Only  Memory）などから取得されたＬＣＤ１１１の画素構成に関するデータと、映像信号Ｓ１０１における画素構成と、を比較して、映像信号Ｓ１０１の間引きを設定し、この間引き設定に基づいて、ＬＣＤ１１１の走査タイミングや圧縮処理部１１２で圧縮処理をおこなうタイミングなどを示す制御信号Ｓ１０５を表示部１１０に出力する。
【００１６】
ＯＳＤ映像信号生成部１３０は、Ｖカウンタ１３１、Ｈカウンタ１３２、制御回路１３３を有する構成である。Ｖカウンタ１３１、Ｈカウンタ１３２は、入力される垂直同期信号Ｓ１０３や水平同期信号Ｓ１０４をカウントすることで、映像信号Ｓ１０１で表示する映像における垂直位置（走査位置）、水平位置、フレーム区切りなどを取得する。
【００１７】
制御回路１３３は、表示すべきオンスクリーン映像に関する情報などが予め格納された特に図示しないメモリを備え、映像信号Ｓ１０１にオンスクリーン画像を重ね合わせるためにＶカウンタ１３１、Ｈカウンタ１３２で取得された位置に応じ、映像信号Ｓ１０１と同一の方式（この場合はＰＡＬ方式）のＯＳＤ映像信号Ｓ１０６を生成して出力する。
【００１８】
映像信号処理部１４０は、入力される映像信号Ｓ１０１（ＰＡＬ方式）とＯＳＤ映像信号Ｓ１０６（ＰＡＬ方式）を合成（重畳）する合成部１４１を有し、その合成後の信号を映像信号Ｓ１０２として出力する。
【００１９】
つまり、この図６に例示した表示装置１００では、ＯＳＤ映像信号Ｓ１０６を合成した後の映像信号Ｓ１０２が圧縮処理部１１２においてＬＣＤ１１１の各画素対応の映像信号に変換（間引かれる）される構成である。
【００２０】
よって、表示装置１００では、例えば奇数フィールドと偶数フィールドが図７に示すようなオンスクリーン映像に対し、奇数フィールドでは走査線Ｌ１０１〜Ｌ１０３を間引き、偶数フィールドでは走査線Ｌ１０４〜Ｌ１０６を間引く様な場合、ＬＣＤ１１１で表示されるオンスクリーン映像の文字部分において、両方のフィールドで表示される領域Ｒ１といずれか一方のフィールドのみで表示される領域Ｒ２が出現する。この領域Ｒ１と領域Ｒ２の違いにより、表示装置１００のＬＣＤ１１１で表示されるオンスクリーン映像にはちらつきや文字潰れが発生する虞があった。
【００２１】
また、図８に示すように、入力されるＰＡＬ方式の映像信号をＮＴＳＣ方式に圧縮し、その圧縮後の映像信号に対してＮＴＳＣ方式のＯＳＤ映像信号を生成して合成する場合は、図６で示した構成において合成部１４１で合成される前の映像信号Ｓ１０１を圧縮するための圧縮処理部を圧縮処理部１１２の他に備えるように回路構成を大きく変更する必要があり、製品コストが増加する問題があった。
【００２２】
本発明の課題は、上記従来技術の問題に鑑みてなされたものであって、映像の圧縮を行った際に生じるオンスクリーン映像のちらつきや文字潰れの発生をより容易な構成で防止することである。
【課題を解決するための手段】
【００２３】
上記課題を解決するために、請求項１に記載の発明は、入力される映像信号と同期して各部のタイミング制御信号を出力するタイミングコントローラと、
前記タイミングコントローラからのタイミング制御信号に基づいて、前記入力される映像信号の一部を間引き、当該間引き後の映像信号に基づいた映像を表示する表示部と、
前記タイミングコントローラからのタイミング制御信号に基づいて、前記表示部における映像信号の間引きタイミングに同期する間引同期信号を生成する信号生成部と、
前記生成された間引同期信号に基づいて、前記表示部における映像信号の間引きに同期した間引き対応信号を含むオンスクリーン映像信号を生成するオンスクリーン映像信号生成部と、
前記入力される映像信号に前記生成されたオンスクリーン映像信号を重畳する映像信号処理部と、
を備えることを特徴とする。
【００２４】
請求項２に記載の発明は、請求項１に記載の発明において、前記表示部は、前記入力される映像信号に基づく映像の全走査線のうちの何れかの走査線部分の信号を前記タイミングコントローラからのタイミング制御信号に基づいて間引き、当該間引き後の映像信号に基づいた映像を表示し、
前記信号生成部は、前記タイミングコントローラからのタイミング制御信号に基づいて、前記表示部で間引く何れかの走査線に同期する間引同期信号を生成し、
前記オンスクリーン映像信号生成部は、前記生成される間引同期信号に基づいて、前記表示部で間引く何れかの走査線に対応する信号を含むオンスクリーン映像信号を生成することを特徴とする。
【００２５】
請求項３に記載の発明は、請求項２に記載の発明において、前記タイミングコントローラは、前記入力される映像信号の各走査線に同期する水平同期信号を出力し、
前記信号生成部で生成された間引同期信号に基づいて、前記水平同期信号における前記表示部で間引く何れかの走査線部分を、他の走査線部分と区別した信号に変換する水平同期信号変換部を更に備え、
前記オンスクリーン映像信号生成部は、前記変換後の水平同期信号に基づいて、前記表示部で間引く何れかの走査線に対応する信号を含めたオンスクリーン映像信号を生成することを特徴とする。
【発明の効果】
【００２６】
本発明によれば、映像の圧縮を行った際に生じるオンスクリーン映像のちらつきや文字潰れの発生をより容易な構成で防止することができる。
【発明を実施するための最良の形態】
【００２７】
以下、この発明の実施の形態について図１〜図３を参照して説明するが、この発明は以下の実施の形態に限定しない。また、この発明の実施の形態は発明の最も好ましい形態を示すものであり、発明の用途や用語はこれに限定するものではない。
【００２８】
先ず、図１を参照して、本発明に係る表示装置の機能的構成を説明する。図１は、表示装置１の機能的構成を模式的に示すブロック図である。図１に示すように、表示装置１は、表示部１０、タイミングコントローラ２０、ＯＳＤ映像信号生成部３０、映像信号処理部４０、間引きタイミング信号生成回路５１、ＯＳＤスキップ信号生成回路５２及び水平同期マスク回路５３を有する構成である。
【００２９】
表示部１０は、タイミングコントローラ２０から入力される制御信号Ｓ５に基づいた動作を行うとともに、映像信号処理部４０から入力される映像信号Ｓ２に基づいた映像を表示する機能部であって、ＬＣＤ１１、圧縮処理部１２を有する構成である。ＬＣＤ１１は、例えば画素構成がＱＶＧＡなどであり、入力される各画素対応の映像信号に基づいた画面表示を行う。圧縮処理部１２は、入力される映像信号Ｓ２を制御信号Ｓ５に基づいて何れかの走査線等を間引くことで、当該映像信号Ｓ２をＬＣＤ１１の画素構成に対応した映像信号に変換する。
【００３０】
タイミングコントローラ２０は、表示装置１に入力される映像信号Ｓ１と同期する同期信号に基づいて、基準周波数と出力信号との周波数を一致させて同期を取るためのＰＬＬ２１などを有し、表示装置１における各部の処理タイミングを指示する信号を映像信号Ｓ１と同期して出力する。具体的には、映像信号Ｓ１の垂直同期と同期する垂直同期信号Ｓ３や映像信号Ｓ１の水平同期と同期する水平同期信号Ｓ４を出力する。
【００３１】
また、タイミングコントローラ２０は、特に図示しないＲＯＭなどから取得されたＬＣＤ１１の画素構成に関するデータと、映像信号Ｓ１（＝映像信号Ｓ２）における画素構成と、を比較して、映像信号Ｓ１における走査線等の間引きを設定し、この間引き設定に基づいて、ＬＣＤ１１の走査タイミングや、圧縮処理部１２で映像信号Ｓ２の何れかの走査線を間引くタイミングを示す制御信号Ｓ５を出力する。
【００３２】
なお、入力される同期信号に基づいてタイミングコントローラ２０から出力される制御信号Ｓ５は、映像信号Ｓ１や表示部１０に入力される映像信号Ｓ２などの同期タイミングより１周期遅い位相の信号である。表示部１０では、映像信号Ｓ２の入力後に１周期分待機した後、制御信号Ｓ５に基づいた圧縮処理部１２、ＬＣＤ１１での処理を行うため、結果的に制御信号Ｓ５と同期した処理を行うことができる構成である。この制御信号Ｓ５と他の信号との同期タイミングのずれは、結果的に映像信号に対する処理のタイミングと同期する構成であれば、１周期に限定するものではなく、いずれであってもよい。
【００３３】
ＯＳＤ映像信号生成部３０は、Ｖカウンタ３１、Ｈカウンタ３２、制御回路３３を有する構成である。Ｖカウンタ３１、Ｈカウンタ３２は、入力される垂直同期信号Ｓ３や水平同期／マスク信号Ｓ４ａに基づいて、表示装置１で表示する映像における垂直位置（走査位置）、水平位置、フレーム区切りなどを取得する。
【００３４】
制御回路３３は、表示すべきオンスクリーン映像に関する情報などが予め格納された特に図示しないメモリ備え、映像信号Ｓ１にオンスクリーン画像を重ね合わせるため、Ｖカウンタ３１、Ｈカウンタ３２で取得された映像信号Ｓ１における映像位置に応じた映像信号Ｓ１と同一の方式（例えばＰＡＬ方式等）のＯＳＤ映像信号Ｓ６を生成して出力する。
【００３５】
映像信号処理部４０は、入力される映像信号Ｓ１とＯＳＤ映像信号Ｓ６とを合成（重畳）する合成部４１を有する回路部であり、その合成後の信号を映像信号Ｓ２として出力する。
【００３６】
間引きタイミング信号生成回路５１は、タイミングコントローラ２０から出力される制御信号Ｓ５に基づいて、表示部１０で行われる間引きタイミングを検出し、表示部１０における制御信号Ｓ５に基づいた間引きに同期する間引きタイミング信号Ｓ５１（間引同期信号）を出力する回路部である。なお、間引きタイミング信号生成回路５１は、前述した１周期遅い制御信号Ｓ５における間引き周期（例えば、水平同期６回に対して１回の間引きを行う等）を検出することで制御信号Ｓ５の間引きタイミングを予め取得しており、映像信号Ｓ１と映像信号Ｓ２と同じタイミングで間引きタイミング信号Ｓ５１を出力する。
【００３７】
ＯＳＤスキップ信号生成回路５２は、間引きタイミング信号Ｓ５１に基づいて、圧縮処理部１２で間引かれるための間引き対応信号（間引かれる走査線分の映像信号）をＯＳＤ映像信号をスキップして予めＯＳＤ映像信号に挿入するため、当該間引き対応信号の開始タイミングを指示するＯＳＤスキップ信号Ｓ５２を出力する回路部である。
【００３８】
水平同期マスク回路５３は、ＯＳＤスキップ信号Ｓ５２に基づいて、入力される水平同期信号Ｓ４に対してマスク処理を施した水平同期／マスク信号Ｓ４ａに変換して出力する回路部である。つまり、水平同期マスク回路５３は、圧縮処理部１２で間引く走査線を示す信号に対してマスク処理を行い、他の走査線と区別した水平同期／マスク信号Ｓ４ａをＯＳＤ映像信号生成部３０に出力する。
【００３９】
ここで、図２、３を参照して、上述した構成である表示装置１のＬＣＤ１１に表示されるオンスクリーン映像について説明する。図２は、表示装置１における各種信号のタイミングを例示する信号タイミングチャートである。図３は、表示装置１におけるオンスクリーン映像の間引きと当該間引き後のオンスクリーン映像の表示とを例示する概念図である。
【００４０】
図２に示すように、時刻ｔ３、ｔ８（表示部１０の実際の処理タイミング）において、制御信号Ｓ５に基づいた映像信号の間引きが行われる場合を例示する。表示装置１では、間引きタイミング信号生成回路５１で制御信号Ｓ５に基づき表示部１０で行われる走査線の間引きに同期する間引きタイミング信号Ｓ５１が生成され、その間引きタイミング信号Ｓ５１に基づいて、ＯＳＤスキップ信号生成回路５２でその間引きに同期した間引き対応信号をＯＳＤ映像信号Ｓ６に挿入するためのＯＳＤスキップ信号Ｓ５２が生成される。ＯＳＤスキップ信号Ｓ５２は、タイミングコントローラ２０から各部に出力される同期信号に対して、ＯＳＤ映像をスキップする部分のパルスが欠落した信号である。
【００４１】
また、図２にしめすように、水平同期マスク回路５３からは、このＯＳＤスキップ信号Ｓ５２に基づいて、ＯＳＤ映像をスキップする部分に対応して水平同期信号Ｓ４のパルスをマスクして変換した水平同期／マスク信号Ｓ４ａが出力される。ＯＳＤ映像信号生成部３０からは、この水平同期／マスク信号Ｓ４ａに基づいて、走査線が間引かれる部分に間引き対応信号を含めてオンスクリーン映像に関する信号をスキップしたＯＳＤ映像信号Ｓ６が出力される。
【００４２】
言い換えると、ＯＳＤ映像信号生成部３０では、時刻ｔ２、ｔ７において出力する予定であった映像信号（表示部１０において時刻ｔ３、ｔ８で処理される映像信号）を、制御信号Ｓ５による間引きに応じて時刻ｔ３、ｔ８（表示部１０において時刻ｔ４、ｔ９で処理される映像信号に）にスキップさせ、以降の映像信号をシフトさせている。よって、表示装置１においては、ＯＳＤ映像信号Ｓ６を映像信号Ｓ１に合成して間引いた場合においても、オンスクリーン映像に影響しない。
【００４３】
つまり、表示装置１では、図３に示すように、オンスクリーン映像の偶数フィールド又は奇数フィールドに間引き対応の走査線Ｌ１〜Ｌ６が挿入されており、当該走査線Ｌ１〜Ｌ６が間引かれる構成である。このため、表示装置１では、映像の圧縮を行う場合でも、ＬＣＤ１１に表示されるオンスクリーン映像のちらつきや文字潰れが発生することがない。
【００４４】
以上のように、表示装置１は、入力される映像信号Ｓ１と同期して各部のタイミング制御信号（制御信号Ｓ５、垂直同期信号Ｓ３、水平同期信号Ｓ４）を出力するタイミングコントローラ２０と、制御信号Ｓ５に基づいて入力される映像信号の一部を間引き、当該間引き後の映像信号に基づいた映像を表示する表示部１０と、制御信号Ｓ５に基づいて、表示部１０における映像信号の間引きタイミングに同期する間引きタイミング信号Ｓ５１を出力する間引きタイミング信号生成回路５１と、この間引きタイミング信号Ｓ５１に基づいて表示部１０における映像信号の間引きに同期した間引き対応信号を含むＯＳＤ映像信号Ｓ６を生成するＯＳＤ映像信号生成部３０と、映像信号Ｓ１とＯＳＤ映像信号Ｓ６とを重畳した映像信号Ｓ２を表示部１０に出力する映像信号処理部４０と、を備える構成である。
【００４５】
このため、表示装置１は、表示部１０でＯＳＤ映像信号Ｓ６が重畳された映像信号Ｓ２の圧縮（間引き）を行う場合においても、間引き対応信号部分が間引かれてオンスクリーン映像自体は間引かれないため、オンスクリーン映像のちらつきや文字潰れの発生を防止することができる。また、表示装置１は、ＯＳＤ映像信号Ｓ６を重畳する前に予め映像信号Ｓ１を圧縮する構成等を有する必要がなく、従来の構成に信号の単純な論理演算のみを行う間引きタイミング信号生成回路５１、ＯＳＤスキップ信号生成回路５２、水平同期マスク回路５３を加えるだけで容易に実現できるものである。
【００４６】
また、表示装置１は、表示部１０において、入力される映像信号に基づく映像の全走査線のうちの何れかの走査線部分の信号をタイミングコントローラ２０からの制御信号Ｓ５に基づいて間引いて、当該間引き後の映像信号に基づいた映像を表示し、間引きタイミング信号生成回路５１において、タイミングコントローラ２０からの制御信号Ｓ５に基づいて、表示部１０で間引く何れかの走査線に同期する間引きタイミング信号Ｓ５１を生成し、ＯＳＤ映像信号生成部３０において、生成された間引きタイミング信号Ｓ５１に基づいて、表示部１０で間引く何れかの走査線に対応する信号を含むＯＳＤ映像信号Ｓ６を生成する構成である。
【００４７】
このため、表示装置１は、入力される映像信号Ｓ１にオンスクリーン映像を重畳し、その重畳後の映像の走査線を間引いて表示部１０で表示する場合においても、オンスクリーン映像のちらつきや文字潰れを防止することができる。特に、入力される映像信号がＰＡＬ方式であり、ＱＶＧＡの表示部に表示するなどの、入力される映像信号の走査線を間引いて圧縮する必要がある場合において、より効果的である。
【００４８】
また、表示装置１は、タイミングコントローラ２０において映像信号Ｓ１の各走査線に同期する水平同期信号Ｓ４を出力し、間引きタイミング信号Ｓ５１に基づいて、水平同期信号Ｓ４における表示部１０で間引く何れかの走査線部分を、他の走査線部分と区別した水平同期／マスク信号Ｓ４ａに変換する水平同期マスク回路５３を更に備え、ＯＳＤ映像信号生成部３０において水平同期／マスク信号Ｓ４ａに基づいて表示部１０で間引く何れかの走査線に対応する信号を含めたＯＳＤ映像信号Ｓ６を生成する構成である。
【００４９】
このため、表示装置１は、従来の構成に間引きタイミング信号生成回路５１とその間引きタイミング信号生成回路５１から出力される信号に基づいて水平同期信号を変換する水平同期マスク回路５３とを備える容易な構成で、オンスクリーン映像のちらつきや文字潰れを防止する効果を得ることができる。
【００５０】
なお、上述した実施の形態における記述は、一例を示すものであり、これに限定するものではない。上述した実施の形態における構成及び動作に関しては、要旨を逸脱しない範囲で適宜変更が可能である。
【図面の簡単な説明】
【００５１】
【図１】表示装置１の機能的構成を模式的に示すブロック図である。
【図２】表示装置１における各種信号のタイミングを例示する信号タイミングチャートである。
【図３】表示装置１におけるオンスクリーン映像の間引きと当該間引き後のオンスクリーン映像の表示とを例示する概念図である。
【図４】（ａ）は、ＮＴＳＣ方式の映像信号に基づいてＱＶＧＡのＬＣＤに映像を表示する場合を例示する概念図であり、（ｂ）は、ＰＡＬ方式の映像信号に基づいてＱＶＧＡのＬＣＤに映像を表示する場合を例示する概念図である。
【図５】ＰＡＬ方式の映像信号とそれに応じて生成されるＰＡＬ方式のＯＳＤ映像信号とを重畳し、その重畳後の映像信号に基づいてＱＶＧＡのＬＣＤに映像を表示する場合を例示する概念図である。
【図６】従来技術における表示装置１００の機能的構成を模式的に示すブロック図である。
【図７】表示装置１００におけるオンスクリーン映像の間引きと当該間引き後のオンスクリーン映像の表示とを例示する概念図である。
【図８】ＰＡＬ方式の映像信号をＮＴＳＣ方式の映像信号に変換し、変換後の映像信号にＮＴＳＣ方式のＯＳＤ映像信号を重畳して、ＱＶＧＡのＬＣＤに映像を表示する場合を例示する概念図である。
【符号の説明】
【００５２】
１  表示装置
１０  表示部
１１  ＬＣＤ
１２  圧縮処理部
２０  タイミングコントローラ
２１  ＰＬＬ
３０  ＯＳＤ映像信号生成部
３１  Ｖカウンタ
３２  Ｈカウンタ
３３  制御回路
４０  映像信号処理部
４１  合成部
５１  間引きタイミング信号生成回路
５２  ＯＳＤスキップ信号生成回路
５３  水平同期マスク回路
Ｓ１、Ｓ２  映像信号
Ｓ３  垂直同期信号
Ｓ４  水平同期信号
Ｓ４ａ  水平同期／マスク信号
Ｓ５  制御信号
Ｓ５１  間引きタイミング信号
Ｓ５２  ＯＳＤスキップ信号
Ｓ６  ＯＳＤ映像信号
ｔ１〜ｔ１０  時刻
Ｌ１〜Ｌ６  走査線
【図１】
2008164934.tif 000003
【図２】
2008164934.tif 000004
【図３】
2008164934.tif 000005
【図４】
2008164934.tif 000006
【図５】
2008164934.tif 000007
【図６】
2008164934.tif 000008
【図７】
2008164934.tif 000009
【図８】
2008164934.tif 000010